(57)【要約】      （修正有）【課題】原稿画像以外の不要な画像を出力することを防ぐことが可能な画像読取装置及び画像形成装置を提供する。【解決手段】画像読取装置は、原稿の画像情報を読み取り可能な読取手段と、所定画像を記憶する記憶手段と、前記読取手段によって読み取られた画像情報に、前記記憶手段に記憶されている前記所定画像があるか否かを判定する判定手段と、前記判定手段によって前記所定画像があると判定される場合、前記所定画像に対する補正を行う補正手段と、を備える。【選択図】図３
2017069592.tif 000002
【特許請求の範囲】
【請求項１】
原稿の画像情報を読み取り可能な読取手段と、
所定画像を記憶する記憶手段と、
前記読取手段によって読み取られた画像情報に、前記記憶手段に記憶されている前記所定画像があるか否かを判定する判定手段と、
前記判定手段によって前記所定画像があると判定される場合、前記所定画像に対する補正を行う補正手段と、
を備えたことを特徴とする画像読取装置。
【請求項２】
前記読取手段による読み取りが完了した原稿の端部に対してスタンプ処理を施すスタンプ手段をさらに備え、
前記記憶手段は、前記スタンプ手段によって施されるスタンプ画像を前記所定画像として記憶している
ことを特徴とする請求項１に記載の画像読取装置。
【請求項３】
前記判定手段は、前記記憶手段が記憶している前記所定画像の画素データと、前記読取手段によって読み取られた画像情報の画素データとの一致率が所定以上である場合に前記所定画像があると判定する
ことを特徴とする請求項１又は２に記載の画像読取装置。
【請求項４】
前記判定手段は、前記記憶手段が記憶している色情報に対応する所定の輝度値が、前記読取手段によって読み取られた画像情報に存在する場合に、前記所定画像があると判定する
ことを特徴とする請求項１又は２に記載の画像読取装置。
【請求項５】
前記補正手段は、前記判定手段によって前記所定画像があると判定される場合、前記所定画像の領域外の輝度値に基づいて、前記所定画像に対する補正を行う
ことを特徴とする請求項１乃至請求項４のいずれか１項に記載の画像読取装置。
【請求項６】
ユーザからの指示を受け付ける操作部をさらに備え、
前記補正手段は、前記判定手段によって前記所定画像があると判定される場合、前記操作部からユーザによって指示される輝度値に基づいて、前記所定画像に対する補正を行う
ことを特徴とする請求項１乃至請求項４のいずれか１項に記載の画像読取装置。
【請求項７】
請求項１乃至請求項６のいずれか１項に記載の画像読取装置と、
前記画像読取装置によって読み取る画像情報に基づいてシート上に画像を形成する画像形成手段と、
を備えたことを特徴とする画像形成装置。
【発明の詳細な説明】
【技術分野】
【０００１】
本発明は、原稿画像を光学的に読み取り、読取が終了した原稿に対して押印可能な画像読取装置と、この画像読取装置を装置本体に備えた画像形成装置とに関する。
【背景技術】
【０００２】
従来、シートに画像を形成するプリンタや複写機等の画像形成装置には、装置本体に画像読取装置を備え、その画像読取装置が読み取った原稿画像をシートに複写するものがある。また、この画像読取装置は、ユーザによって積載トレイに積載された原稿を一枚ずつ分離しながら画像読取装置へ供給するシート搬送部を備えているものがある。
【０００３】
特許文献１には、ＦＡＸ送信または原稿を読み取る際に、画像が読み取られた原稿に対して特定の印を付与するスタンプ手段を備えることにより、原稿に対して画像の読み取り又は送信が正常に行われたか否かを判断することが可能となる画像読取装置が提案されている。
【先行技術文献】
【特許文献】
【０００４】
【特許文献１】特開２００６−９３８２７号公報
【発明の概要】
【発明が解決しようとする課題】
【０００５】
しかしながら、特許文献１のようなスタンプ手段を備えた場合、画像が読み取られて特定の印が付与された原稿を再度読み取る場合、読み取りの際に原稿画像ではない特定の印までもが読み取られてしまう。そのため、原稿画像ではない不要な画像を、原稿画像として出力してしまうという課題があった。
【０００６】
そこで本発明は、上記の点に鑑み、原稿画像以外の不要な画像を出力することを防ぐことが可能な画像読取装置及び画像形成装置を提供することを目的とする。
【課題を解決するための手段】
【０００７】
原稿の画像情報を読み取り可能な読取手段と、所定画像を記憶する記憶手段と、前記読取手段によって読み取られた画像情報に、前記記憶手段に記憶されている前記所定画像があるか否かを判定する判定手段と、前記判定手段によって前記所定画像があると判定される場合、前記所定画像に対する補正を行う補正手段と、を備えた。
【発明の効果】
【０００８】
本発明によれば、原稿画像以外の不要な画像を出力することを防ぐことができる。
【図面の簡単な説明】
【０００９】
【図１】画像読取装置１００の断面図
【図２】画像読取装置１００の制御構成を示すブロック図
【図３】画像読取装置１００の制御動作を示すフローチャート
【図４】スタンプ画像の判定方法の説明図
【図５】スタンプ画像の画像処理例の説明図
【発明を実施するための形態】
【００１０】
以下にて、本発明を実施するための最良の形態について、図面を参照して説明する。本実施形態においては、画像読取装置として、例えば複写機等の画像形成装置に用いられる画像読取装置を例にするが、これに限ったものではない。尚、以下の実施形態は特許請求の範囲に係る本発明を限定するものでなく、また本実施形態で説明されている特徴の組み合わせの全てが本発明の解決手段に必須のものとは限らない。
【００１１】
＜第１の実施形態＞
以下、本実施形態における画像読取装置を図に基づいて説明をする。
図１は、本実施形態における画像読取装置１００の断面図である。
【００１２】
ここで、画像読取装置１００は、不図示の画像形成装置と接続することで、原稿のコピーを行う際にその画像データを画像形成装置に送り、送られた画像データに基づいて記録媒体上に読取画像を形成することが可能となっている。また、不図示のＦＡＸ回線を介して取得した画像データを外部機器へ送信することも可能となっている。
【００１３】
画像読取装置１００は、原稿Ｄの画像を読み取る画像読取部１０と、画像読取部１０へ原稿Ｄを給送する原稿給送部２０とを主要に構成されている。
【００１４】
画像読取部１０は、原稿を固定して読み取る固定読みの際にユーザによって原稿が載置される原稿台ガラス３０と、原稿Ｄを搬送しながら読取る流し読みの際に原稿給送部２０によって給送された原稿Ｄが通過する流し読みガラス４０と、原稿台ガラス３０及び流し読みガラス４０の下方を往復移動可能に設けられ、原稿の画像を読み取る読取走査ユニット５０等を有している。
読取走査ユニット５０は光源から原稿に光を照射することによって原稿画像を読み取り可能となっている。また、読取走査ユニット５０は、駆動ベルト５４に係合され、駆動モータ５５の駆動力が駆動ベルト５４を介して伝達されることでガイド軸５６に沿って矢印Ｈ方向に移動可能となっている。駆動モータ５５には、ステッピングモータやＤＣモータ等が用いられる。
【００１５】
ここで、原稿台ガラス３０の端部には、出力画像信号の歪みを補正するシェーディング補正を行うための白色基準となる白色基準板６０が設けられている。
【００１６】
原稿画像を読み取る際には、読取走査ユニット５０から白色基準板６０に光を照射し、その反射光からシェーディング補正を行うためのシェーディング補正値を取得する。また、シェーディング補正時に光源の露光量を一定に保つために光量調整等が行われる。
【００１７】
画像読取部１０の上方には、原稿を供給して搬送するための供給手段としての原稿給送部２０が設けられている。原稿給送部２０は、ヒンジなどの開閉支持部材（不図示）によって画像読取部１０に対して図１の奥側を中心に回動自在に取り付けられている。このため、原稿給送部２０は、原稿台ガラス３０と流し読みガラス４０との上面を開閉できるようになっている。
固定読みの場合、ユーザによって原稿台ガラス３０上に載置された原稿は、原稿給送部２０の下部に配置される原稿圧板により原稿台ガラス３０上に押し付け固定される。そして、原稿を固定した状態で原稿台ガラス３０の下方を主走査方向に延びた読取手段としての読取走査ユニット５０が移動しながら原稿台ガラス３０上の原稿の画像を読み取る。このとき、読取走査ユニット５０の移動する方向（矢印Ｈ方向）を副走査方向といい、それに直交する方向を主走査方向という。
流し読みの場合、読取走査ユニット５０は、流し読みガラス４０の下方の所定の読取位置に移動し、停止する。そして、原稿給送部２０は、原稿載置部２１に載置された原稿Ｄを給送ローラ２２で取り込み、分離ローラ２３ａと分離板２３ｂとからなる分離部２３に給送する。ここで、分離部２３は、給送ローラ２２にて複数枚の原稿Ｄが給送された場合に、原稿Ｄを１枚に分離しながら搬送する。次に、レジセンサＳ１で原稿Ｄの先端を検知すると、レジストローラ対２４にて、分離部２３から搬送されてきた原稿Ｄの先端を受け止めて原稿Ｄの斜行を矯正する。ここで、レジセンサＳ１では原稿Ｄの斜行矯正のタイミングを計る他に、原稿Ｄの後端を検知したことに応じて給送ローラ２２による給送タイミングを計り、検知時間に応じて原稿Ｄのサイズ判定を行うこと等ができる。
レジストローラ対２４にて斜行が矯正された原稿Ｄは、リードセンサＳ２で検知される読み取りタイミングに合わせて、読取走査ユニット５０が画像を読み取る流し読みガラス４０上の読取位置へ搬送路ＰＳ１を通って搬送される。このとき、原稿Ｄは、所定の回転数で回転するプラテンローラ２５によって流し読みガラス４０の上面から浮き上がり量を規制された状態で搬送されて、読取走査ユニット５０によって画像を読み取られる。
【００１８】
また、プラテンローラ２５の原稿搬送方向上流と原稿搬送方向下流にはそれぞれリードローラ対２６ａ、２６ｂが設けられており、原稿Ｄは読取走査ユニット５０によって画像が読み取られながらリードローラ対２６ａ、２６ｂによって搬送されている。
【００１９】
そして、画像が読み取られた原稿Ｄは、リードローラ対２６ｂによって反転排出ローラ対２７へ搬送され、片面読取時の場合はそのまま反転排出ローラ対２７によって原稿排出部２８へ排出される。
【００２０】
ここで、反転排出ローラ対２７の原稿搬送方向上流側には、読取走査ユニット５０によって画像が読み取られた原稿Ｄに対して特定の印を付与するスタンプ部６０が設けられている。ユーザは、スタンプ部６０によって原稿Ｄに特定の印が付与されることで、重送による読み飛ばし等がなく正常に読み取りが行われたことを容易に判断することができる。
このスタンプ部６０は、後述するスタンプソレノイド３０７（図２）によって作動し、反転排出ローラ対２７によって排出される原稿Ｄの後端に対して特定の印をスタンプすることが可能となっている。スタンプ部６０が原稿Ｄに対して特定の印を付与する場合、反転排出ローラ対２７は、原稿の排出を一時停止し、スタンプ部６０による押印が完了した後、原稿Ｄの排出を再開する。
尚、スタンプ部６０作動時の反転排出ローラ対２７の動作について、前述の説明では原稿Ｄの排出を一時停止させるとしたが、反転排出ローラ対２７の排出動作中にスタンプ部６０が押印するような構成であっても良い。また、スタンプ部６０は原稿Ｄの後端に対して特定の印を付与するとしたが、原稿Ｄの先端に対して特定の印を付与する構成であってもよい。この場合、原稿Ｄの端部に押印することで、原稿Ｄの画像領域ではない余白部分に印を付与する可能性が高まり、原稿画像の視認性等が悪くなってしまうことを防ぐことができる。
【００２１】
また、反転排出ローラ対２７の搬送方向上流側には排出センサＳ３が設けられており、排出時における滞留ジャムや遅延ジャムなどを検知することが可能となっている。同様に、レジセンサＳ１およびリードセンサＳ２についても、原稿搬送時の滞留ジャムや遅延ジャムなどを検知可能となっている。
【００２２】
原稿Ｄの両面を読み取る場合は、読取走査ユニット５０によって１面目を読み取り、スタンプ部６０によって原稿Ｄの１面目に対して印を付与した後、原稿排出中の反転排出ローラ２７を停止し、その後逆回転させて原稿Ｄを機内へ引き戻し、フラッパ２９にて搬送路を反転搬送路ＰＳ２に切り替えることで原稿Ｄを再度搬送路ＰＳ１内に送り込み、読取走査ユニット５０によって２面目を読み取る。その後、２面目が読み取られた原稿Ｄは片面読取時と同様に、スタンプ部６０によって２面目に対して印が付与され、反転排出ローラ対２７によって原稿排出部２８へ排出される。
【００２３】
画像読取部１０は、流し読みと固定読みの何れの読み方であっても、読取走査ユニット５０に搭載された読取センサ３１０（図２）が原稿に光を照射し、その照射した光の反射光を受光して、原稿を光学的に読み取る。
【００２４】
次に、本実施形態における画像読取装置１００の制御構成について説明する。
図２は、本実施形態における画像読取装置１００の制御構成を示すブロック図である。
【００２５】
ＤＣコントローラ基板３００に搭載されたＣＰＵ３０１は、内部にＲＯＭ３０２及びＲＡＭ３０３を有し、画像読取装置１００全体の制御をしている。ＲＯＭ３０２は、画像読取装置１００を制御するためのファームウェアプログラムや、ファームウェアプログラムを制御するためのブートプログラムが書き込まれ、ＣＰＵ３０１によって使用される。ＲＡＭ３０３は、ＣＰＵ３０１の作業領域およびデータの一時記憶領域である。
【００２６】
図１に示したレジセンサＳ１およびリードセンサＳ２、排出センサＳ３は、それぞれＤＣコントローラ基板３００に接続され、ＣＰＵ３０１によって各センサの検出結果から、画像読取装置１００の制御が行われる。
【００２７】
給紙モータ３０４は、給送ローラ２２、分離ローラ２３ａ、レジストローラ対２４を駆動する。リードモータ３０５は、リードローラ対２６ａ，ｂ、反転排出ローラ対２７を駆動する。ここで、給紙モータ３０４、リードモータ３０５、駆動モータ５５は、レジセンサＳ１、リードセンサＳ２、排出センサＳ３の検知信号等に基づいてＣＰＵ３００によって制御されることで、原稿の搬送及び画像読み取りが行われる。なお、本実施形態においては、これらの給紙モータ３０４、リードモータ３０５、駆動モータ５５としてステッピングモータを使用すると共に、これら各モータはＤＣコントローラ基板３００の不図示のモータドライバを介して入力されるモータ電流制御信号によって定電流駆動される構成となっている。
【００２８】
圧接ソレノイド３０６は、ＣＰＵ３０１から不図示のドライバを介して入力される相励磁信号により作動し、給紙ローラ２２を原稿に対して圧接離間可能としている。
【００２９】
スタンプソレノイド３０７は、ＣＰＵ３０１によって制御されることでスタンプ部６０を作動し、反転排出ローラ対２７によって排出される原稿Ｄの後端に対して特定の印をスタンプする。
【００３０】
操作部３０８は、操作パネル等を介してユーザからの指示を受け付けることが可能となっており、ＣＰＵ３０１は、ユーザからの指示に基づいて原稿給送部２０による原稿搬送動作やスタンプ部６０によるスタンプ動作を制御する。
【００３１】
通信Ｉ／Ｆ３０９は、ＦＡＸや画像形成装置、ＰＣ等の外部の端末装置と接続され、これを介して画像読取部１０で読み取った画像データを装置外へ出力することが可能となっている。
【００３２】
ＣＰＵ３０１は、操作部３０８を介して取得するユーザからの指示や原稿給送部２０の各種センサの検出結果に基づいて、駆動モータ５５及び読取走査ユニット５０に搭載された読取センサ３１０を制御することで、原稿画像を読み取る。
【００３３】
次に、本実施形態における画像読取装置１００の制御動作について、説明をする。
図３は、本実施形態における原稿流し読み時のＣＰＵ３０１の制御動作を示すフローチャートである。本実施形態では、画像読取部１０と原稿給送部２０とをＣＰＵ３０１が制御する構成としているが、それぞれ別のＣＰＵによって制御する構成としてもよい。
【００３４】
操作部３０８を介してユーザによる原稿流し読み動作開始の指示を受け付けると、ＣＰＵ３０１は駆動モータ５５を制御し、読取走査ユニット５０を流し読みガラス４０の読取位置へと移動させる（Ｓ３０１）。そして、ＣＰＵ３０１は、給紙モータ３０４及びリードモータ３０５、圧接ソレノイド３０６を制御して、原稿の搬送を開始する（Ｓ３０２）。
【００３５】
ＣＰＵ３０１は、リードセンサＳ２がＯＮし（Ｓ３０３のＹｅｓ）、原稿先端がリードセンサＳ２によって検出されると、読取走査ユニット５０に搭載された読取センサ３１０によって画像の読取りを開始する（Ｓ３０４）。リードセンサＳ２がＯＮしない場合（Ｓ３０３のＮｏ）は、原稿先端がリードセンサＳ２に到達するまで待機する。
【００３６】
そして、リードセンサＳ２がＯＦＦし（Ｓ３０５のＹｅｓ）、所定時間が経過して（Ｓ３０６のＹｅｓ）原稿後端が流し読みガラス４０上の読取位置を通過したと判定されると、ＣＰＵ３０１は、読取センサ３１０による画像の読取りを終了する（Ｓ３０７）。ここで、リードセンサＳ２がＯＦＦしていない場合（Ｓ３０５のＮｏ）は、Ｓ３０４の画像読取を継続して行う。また、リードセンサＳ２がＯＦＦして（Ｓ３０５のＹｅｓ）から所定時間が経過していない場合（Ｓ３０６のＮｏ）は、所定時間が経過するまで待機する。
【００３７】
次に、ＣＰＵ３０１は、排出センサＳ３がＯＦＦして（Ｓ３０８のＹｅｓ）、原稿Ｄが原稿排出部２８へと排出されたと判定された場合、給送モータ３０４及びリードモータ３０５、圧接ソレノイド３０６を停止させ、原稿の搬送を停止させる（Ｓ３０９）。排出センサＳ３がＯＦＦしない場合（Ｓ３０８のＮｏ）は、原稿Ｄが原稿排出部２８へと排出されるまで原稿の搬送を継続する。
【００３８】
次に、ＣＰＵ３０１は、Ｓ３０４で読み取った原稿画像のスタンプ領域にスタンプ画像があるか否かを判定する（Ｓ３１０）。このときの判定方法については、図４を用いて後述する。
【００３９】
原稿画像内のスタンプ領域にスタンプ画像がある場合（Ｓ３１０のＹｅｓ）、ＣＰＵ３０１は、スタンプ画像に対して画像処理を行い（Ｓ３１１）、通信Ｉ／Ｆ３０９を介して原稿画像を出力して（Ｓ３１２）、原稿の流し読み動作を終了する。一方、原稿画像内のスタンプ領域にスタンプ画像がない場合（Ｓ３１０のＮｏ）、ＣＰＵ３０１は、スタンプ画像に対する画像処理を行わずに、通信Ｉ／Ｆ３０９を介して原稿画像を出力し（Ｓ３１２）、原稿の流し読み動作を終了する。
【００４０】
上述した原稿流し読み時の制御動作は、原稿を１枚読み取る際の動作を示したが、この制御動作を繰り返すことで、複数枚の原稿に対して画像を読み取り、スタンプ画像の有無に応じて画像補正を行っても良い。尚、複数枚の原稿に対して読み取りを行う場合は、すべての原稿を読み取った後に、スタンプ画像に対する画像補正を行う構成であっても良い。
【００４１】
次に、図４を用いて本実施形態におけるＳ３１０のスタンプ画像の有無判定の方法を説明する。図４は、スタンプ画像の判定方法の説明図である。
【００４２】
本実施形態では、予め記憶したスタンプ画像の画素データと、Ｓ３０４で読み取った原稿画像のスタンプ領域の画素データとの一致率から、スタンプ画像の有無を判定する。
【００４３】
ここで、予め記憶しているスタンプ画像の画素データが図４（Ａ）とする。そして、Ｓ３０４で読み取った原稿画像のスタンプ領域の画素データが図４（Ｂ）のように一致率が一定以上である場合、ＣＰＵ３０１は、原稿画像内のスタンプ領域にスタンプ画像があると判定し、スタンプ画像に対して画像補正する。一方、Ｓ３０４で読み取った原稿画像のスタンプ領域の画素データが図４（Ｃ）のように一致率が一定以下である場合、ＣＰＵ３０１は、原稿画像内のスタンプ領域にスタンプ画像がないと判定する。尚、このときの判定に用いる一致率は、予め記憶しているスタンプ画像によって変更してもよく、所定値以上でスタンプ画像と判定できる割合であれば、どのように設定してもよい。
【００４４】
次に、図５を用いて本実施形態におけるＳ３１１の画像処理方法について説明する。図５は、スタンプ画像の画像処理例を示す図である。
【００４５】
本実施形態では、原稿画像内のスタンプ領域にスタンプ画像があると判定される場合、スタンプ画像周辺の画素の輝度値に応じて画像補正を行う。これによって、スタンプ画像が付与された原稿を再度読み取る場合であっても、原稿画像以外の不要な画像を出力してしまうことを防ぐことができる。
【００４６】
例えば、図５（Ａ）のようなスタンプ画像があるとすると、図５（Ａ）の破線で示した部分をスタンプ画像周辺の輝度値と置き換えることで、図５（Ｂ）のようにスタンプ画像に対する補正を行う。このように、スタンプ画像をスタンプ画像周辺の輝度値と置き換えて画像補正することで、補正後の画像品質の低下を軽減させることができる。
【００４７】
また、スタンプ画像周辺の輝度値と置き換えて画像補正をすることで、図５（Ｃ）に示すような背景色の輝度値が低い場合であっても、補正後の画像品質の低下を軽減させることができる。
【００４８】
図５に示した画像処理例では、図５（Ｂ）、（Ｃ）に示した破線内を補正するとしたが、破線内の領域において、スタンプ画像周辺の輝度値と異なる部分のみを画像補正する構成としてもよい。
【００４９】
また、補正方法としてスタンプ画像周辺の輝度値を用いて置き換える方法を説明したが、補正に用いる輝度値（白２５５〜黒０）をユーザによって任意で選択できるようにしてもよい。
【００５０】
このように、スタンプ画像をスタンプ画像周辺の輝度値と置き換えて補正することで、補正後の画像品質の低下を軽減し、原稿画像内の不要な画像の出力を防ぐことができる。
【００５１】
本実施形態では、原稿給送部２０によって流し読みガラス４０上に搬送される原稿を読み取る場合について説明したが、原稿台ガラス３０上に載置される原稿を読み取る場合に用いても良い。
【００５２】
本実施形態では、予め記憶されているスタンプ画像の画素データと読み取ったスタンプ画像領域の画素データの一致率からスタンプ画像の有無を判定し、スタンプ画像がある場合は画像補正を行うことで不要な画像の出力を防ぐ。
【００５３】
このとき、予め記憶されているスタンプ画像との一致率によってスタンプ画像の有無を判定することで、仮に文字領域に重なってスタンプが付与されている原稿画像に対して、スタンプ画像の補正に伴って文字領域が補正されてしまうことを防ぐことができる。
【００５４】
以上で説明したように、本実施形態では、特定の印が付与された原稿を再度読み取る場合であっても、スタンプ画像の有無を判定し、スタンプ画像が存在する場合はスタンプ画像周辺の輝度値とスタンプ画像とを置き換えて補正するため、原稿画像内の不要な画像の出力を防ぐことができる。
【００５５】
また、スタンプ画像をスタンプ画像周辺の輝度値と置き換えて補正することで、スタンプ画像補正後の画像品質の低下を軽減することができる。
【００５６】
＜その他の実施形態＞
図４に示したスタンプ画像の有無判定では、予め記憶しているスタンプ画像の画素データとの一致率から、原稿画像内のスタンプ領域のスタンプ画像の有無を判定した。スタンプ画像の有無判定方法のその他の実施形態として、予め記憶させた色情報に対応する輝度値の画像が原稿画像内のスタンプ領域に存在するか否かによって、スタンプ画像の有無判定を行ってよい。
【００５７】
また、予め記憶しているスタンプ画像が複数ある場合は、その複数のスタンプ画像それぞれの画素データと読み取った画像データの画素データとを比較し、何れかの画素データに対する一致率が所定値以上の場合に、スタンプ画像が付与されていると判定してもよい。
【００５８】
また、スタンプが付与されている位置が原稿画像内の文字領域以外であると判定できる場合は、スタンプ画像の有無判定を行わずに、一律スタンプ領域の画像を補正する構成であってもよい。
【００５９】
本実施形態においても、第一の実施形態と同様に、原稿画像内の不要な画像の出力を防ぐことができる。また、スタンプ画像補正後の画像品質の低下を軽減することができる。
【符号の説明】
【００６０】
１０・・・画像読取部
２０・・・原稿給送部
４０・・・流し読みガラス
５０・・・読取走査ユニット
６０・・・スタンプ部
１００・・・画像読取装置
３０１・・・ＣＰＵ
３１０・・・読取センサ
３０７・・・スタンプソレノイド
【図１】
2017069592.tif 000003
【図２】
2017069592.tif 000004
【図３】
2017069592.tif 000005
【図４】
2017069592.tif 000006
【図５】
2017069592.tif 000007